(57)【要約】【課題】使用者が、リム部の拭き掃除を行う場合に、自身の手指がリム部の上面からリム上部内側コーナー部の丸みに沿うように内側壁までかかっている状態で、リム部の上面、リム上部内側コーナー部及び内側壁を効率よく清掃することができ、清掃性を向上させることができる水洗大便器を提供する。【解決手段】本発明の水洗大便器は、汚物受け面１４とこの汚物受け面の上方外側に形成されて便器の上部縁を形成するリム部１６とを備えたボウル部と、排水路と、吐水部と、導水路と、を有し、リム部１６は、このリム部の上面１６ｃと内側壁１６ａとの間に形成されるリム上部内側コーナー部１６ｄと、このリム部の上面１６ｃと外側壁１６ｂとの間に形成されるリム上部外側コーナー部１６ｅと、を備え、リム部の全周の少なくとも一部において、リム上部内側コーナー部１６ｄの丸みが、リム上部外側コーナー部１６ｅの丸みよりも大きく形成されている。【選択図】図６
2020051249.tif 000002
【特許請求の範囲】
【請求項１】
洗浄水源から供給される洗浄水により便器を洗浄して汚物を排出する水洗大便器であって、
ボウル形状の汚物受け面と、この汚物受け面の上方外側に形成されて便器の上部縁を形成するリム部と、を備えたボウル部と、
このボウル部の下方にその入口が接続され汚物を排出する排水路と、
上記ボウル部に洗浄水を吐水して旋回流を形成する吐水部と、
上記吐水部に洗浄水を供給する導水路と、を有し、
上記リム部は、
このリム部の上面と内側壁との間に形成されるリム上部内側コーナー部と、
このリム部の上面と外側壁との間に形成されるリム上部外側コーナー部と、を備え、
上記リム部の全周の少なくとも一部において、上記リム上部内側コーナー部の丸みが、上記リム上部外側コーナー部の丸みよりも大きく形成されていることを特徴とする水洗大便器。
【請求項２】
上記リム上部内側コーナー部の下端は上記吐水部よりも上方に設けられる、請求項１記載の水洗大便器。
【請求項３】
上記リム上部外側コーナー部を形成する円弧の半径と、上記リム上部内側コーナー部を形成する円弧の半径との比率が、１：２〜１：５の範囲の比率に形成されている、請求項１又は２に記載の水洗大便器。
【請求項４】
上記リム部は、その内壁の少なくとも一部が内側に向かってオーバーハングした形状に形成されている、請求項１乃至３の何れか１項に記載の水洗大便器。
【請求項５】
上記吐水部は、上記ボウル部の前方側領域から前方に向かって吐水するように形成され、上記ボウル部の前端から後方に向かって流れる旋回流を形成する、請求項１乃至４の何れか１項に記載の水洗大便器。
【請求項６】
上記リム部は、上記ボウル部の上記吐水部から前方側において、上部が内側に向かってオーバーハングした形状に形成されている、請求項１乃至５の何れか１項に記載の水洗大便器。
【請求項７】
上記水洗大便器は、洗浄水源から水道の給水圧を直接利用した水道直圧式の給水装置により供給される洗浄水により便器を洗浄して汚物を排出する水洗大便器である、請求項１乃至６の何れか１項に記載の水洗大便器。
【発明の詳細な説明】
【技術分野】
【０００１】
本発明は、水洗大便器に係り、特に、洗浄水源から供給される洗浄水により便器を洗浄して汚物を排出する水洗大便器に関する。
【背景技術】
【０００２】
例えば、特許文献１に開示されているように、便器本体の後方上部には、貯水タンクから供給された洗浄水をボウル部に吐水する導水路が形成され、この導水路の上方においてボウル部の上縁部に沿って形成されたリム部が形成されている。このリム部においては、便器本体の内側に形成された内側コーナー部の半径と、便器本体の外側に形成された外側コーナー部の半径とがほぼ同じ大きさ且つ非常に小さい半径に形成されている。
【先行技術文献】
【特許文献】
【０００３】
【特許文献１】特許第４９４１７９６号公報
【発明の概要】
【発明が解決しようとする課題】
【０００４】
しかしながら、特許文献１の水洗大便器及び、図７に示すような従来の水洗大便器１０１においては、使用者が、使用者の手指Ｈの掌Ｈａ及び/又は指の掌側の部分Ｈｂをリム上面部１１６ｃに接するように配置しながらリム部１１６を清掃するとき、リム上部内側コーナー部１１６ｄが比較的小さな半径の円弧（リム上部外側コーナー部１１６ｅとほぼ同様の半径の円弧）を形成しているので、リム上部内側コーナー部１１６ｄの円弧に指の第２関節部分Ｈｃ等の指の曲り部分を沿わせて配置することができない。従って、リム上面部１１６ｃとリム上部内側コーナー部１１６ｄと内周壁面１１６ａとを効率よく清掃することができないといった課題があった。
また、使用者が無理に手指を曲げてこれらの面を清掃しようとする場合には、使用者が清掃のために必要とする力を手指Ｈにかけることが困難となるという課題があった。
【０００５】
そこで、本発明は、上述した従来技術の問題点を解決するためになされたものであり、使用者が、リム部の拭き掃除を行う場合に、自身の手指がリム部の上面からリム上部内側コーナー部の丸みに沿うように内側壁までかかっている状態で、リム部の上面、リム上部内側コーナー部及び内側壁を効率よく清掃することができ、さらに、使用者が、拭き掃除をしようとする比較的強い力を容易にリム部全体にかけることができ、清掃性を向上させることができる水洗大便器を提供することを目的とする。
【課題を解決するための手段】
【０００６】
上記の目的を達成するために、本発明は、洗浄水源から供給される洗浄水により便器を洗浄して汚物を排出する水洗大便器であって、ボウル形状の汚物受け面と、この汚物受け面の上方外側に形成されて便器の上部縁を形成するリム部と、を備えたボウル部と、このボウル部の下方にその入口が接続され汚物を排出する排水路と、ボウル部に洗浄水を吐水して旋回流を形成する吐水部と、吐水部に洗浄水を供給する導水路と、を有し、リム部は、このリム部の上面と内側壁との間に形成されるリム上部内側コーナー部と、このリム部の上面と外側壁との間に形成されるリム上部外側コーナー部と、を備え、リム部の全周の少なくとも一部において、リム上部内側コーナー部の丸みが、リム上部外側コーナー部の丸みよりも大きく形成されていることを特徴としている。
このように構成された本発明においては、リム部の全周の少なくとも一部において、リム上部内側コーナー部の丸みが、リム上部外側コーナー部の丸みよりも大きく形成されている。よって、使用者が、リム部の拭き掃除を行う場合に、自身の手指がリム部の上面からリム上部内側コーナー部の丸みに沿うように内側壁までかかっている状態で、リム部の上面、リム上部内側コーナー部及び内側壁を効率よく清掃することができる。さらに、リム部の上面からリム上部内側コーナー部及び内側壁に比較的均等に力をかけながら拭き掃除をすることができるため、使用者が、拭き掃除をしようとする比較的強い力を容易にリム部全体にかけることができ、清掃性を向上させることができる。
【０００７】
本発明において、好ましくは、リム上部内側コーナー部の下端は吐水部よりも上方に設けられる。
このように構成された本発明においては、吐水部から吐水された洗浄水は、リム上部内側コーナー部の下端よりも下方の領域に沿って旋回されるので、洗浄水がリム上部内側コーナー部を越えて便器外に水飛びすることを防止することができる。また、このように洗浄水がリム上部内側コーナー部の下端よりも下方の領域に沿って旋回されるので、リム上部内側コーナー部の幅を比較的大きく形成することができる。
【０００８】
本発明において、好ましくは、リム上部外側コーナー部を形成する円弧の半径と、リム上部内側コーナー部を形成する円弧の半径との比率が、１：２〜１：５の範囲の比率に形成されている。
このように構成された本発明においては、リム上部内側コーナー部を形成する円弧の半径が、使用者の手指の曲りによって握りやすい半径に形成されている。よって、使用者が、リム部の拭き掃除を行う場合に、自身の手指をリム上部内側コーナー部を形成する円弧形状に沿うようにかけやすくなっている。
【０００９】
本発明において、好ましくは、リム部は、その内側壁の少なくとも一部が内側に向かってオーバーハングした形状に形成されている。
このように構成された本発明においては、施工者、製造者等が便器の運搬をする際に、手指をオーバーハングした形状に形成されたリム部にかけることにより、手指を引っかけた状態で、便器の運搬を良好にすることができる。
【００１０】
本発明において、好ましくは、吐水部は、ボウル部の前方側領域から前方に向かって吐水するように形成され、ボウル部の前端から後方に向かって流れる旋回流を形成する。
このように構成された本発明においては、吐水部が、ボウル部の前端から後方に向かって流れる旋回流を形成することができ、節水をしながらボウル部を十分に洗浄することができる。
【００１１】
本発明において、好ましくは、リム部は、ボウル部の上記吐水部から前方側において、上部が内側に向かってオーバーハングした形状に形成されている。
このように構成された本発明においては、吐水部から吐水された洗浄水がリム部を越えて便器外に水飛びを生じやすいボウル部の吐水部から前方側の領域において、リム部の上部が内側に向かってオーバーハングした形状に形成されているので、洗浄水が便器外に水飛びすることを防ぐことができる。
【００１２】
本発明において、好ましくは、水洗大便器は、洗浄水源から水道の給水圧を直接利用した水道直圧式の給水装置により供給される洗浄水により便器を洗浄して汚物を排出する水洗大便器である。
このように構成された本発明においては、水道直圧式の給水装置により供給される洗浄水は、吐水時の水勢の強さが比較的抑制される。従って、吐水部から吐水された洗浄水がボウルからリム部を越えて水飛びしにくくなり、リム上部内側コーナー部の幅を大きく形成することができる。
【発明の効果】
【００１３】
本発明の水洗大便器によれば、使用者が、リム部の拭き掃除を行う場合に、自身の手指がリム部の上面からリム上部内側コーナー部の丸みに沿うように内側壁までかかっている状態で、リム部の上面、リム上部内側コーナー部及び内側壁を効率よく清掃することができ、さらに、使用者が、拭き掃除をしようとする比較的強い力を容易にリム部全体にかけることができ、清掃性を向上させることができる。
【図面の簡単な説明】
【００１４】
【図１】本発明の一実施形態による水洗大便器の便器本体及び給水装置を概略的に示す概略平面図である。
【図２】図１のII−II線に沿って見た中央断面図である。
【図３】図１のIII−III線に沿って見た断面図である。
【図４】図１のIV−IV線に沿って見た断面図である。
【図５】図１のV−V線に沿って見た断面図である。
【図６】本発明の一実施形態による水洗大便器のリム上部内側コーナー部に沿うように使用者の手指がかけられた状態を示す図である。
【図７】従来の水洗大便器のリム上部内側コーナー部に使用者の手指がかけられた状態を示す図である。
【発明を実施するための形態】
【００１５】
以下、添付図面を参照して、本発明の一実施形態による水洗大便器の構成について説明する。
図１は本発明の一実施形態による水洗大便器の便器本体及び給水装置を概略的に示す概略平面図であり、図２は図１のII−II線に沿って見た中央断面図である。
【００１６】
図１乃至図４に示すように、水洗大便器１はボウル部内の水の落差による流水作用で汚物を押し流す、いわゆる、洗い落し式の水洗大便器であり、この水洗大便器１は、陶器製の便器本体２を備え、この便器本体２の上部の前方側には、ボウル部４が形成され、便器本体２の正面から見て左側の上部には導水路６が、便器本体２の中央後方側の下方にはボウル部４と連通する排水トラップ管路８が、それぞれ形成されている。なお、水洗大便器１は、洗い落し式の便器以外のサイホン式便器やサイホンジェット式便器等にも、適用可能である。さらに、便器本体２は、陶器製の便器以外の、樹脂製の便器、ディストリビュータを使用する便器等にも適用可能である。
【００１７】
本実施形態における水洗大便器１は、水道から直接洗浄水が供給される水道直圧式水洗大便器であり、水道の水圧を利用して給水する水道直圧式の給水装置１０を備えている。この給水装置１０は、洗浄水を、フラッシュバルブの開閉操作により給水管１２を通して導水路６に供給するように構成されている。水道直圧式の給水装置１０を適用する場合、後述する吐水口部（吐水部）２０から吐水される洗浄水の吐水時の水勢の強さが、従来の重力式の貯水タンクを用いた場合と比較して、比較的抑制される。
なお、水洗大便器１の給水装置１０は、水道直圧式の給水装置以外にも適用可能である。例えば、この便器本体２の後部に取り付けられた洗浄水を貯水して給水する重力給水式の洗浄水給水手段である貯水タンクを備え、この貯水タンクには排水弁が設けられ、使用者の操作レバー等の操作等により、排水弁が開いて便器本体２の導水路６に洗浄水が供給されるようになっている給水装置を水洗大便器１に適用してもよい。
【００１８】
ボウル部４は、ボウル形状に形成された汚物受け面１４と、ボウル部４の全周の上方外側に形成されて便器の上部縁を形成するリム部１６とを備えている。また、ボウル部４の下方には、溜水部１８が形成されている。この溜水部１８には洗浄水が毎回の洗浄後に所定量まで貯溜されて溜水面Ｗ0が形成されている。この溜水部１８の下方には、上述した排水トラップ管路８の入口８ａが開口し、排水トラップ管路８の下降路８ｂの下端は排水ソケット（図示せず）を介して床下の排出管（図示せず）に接続されている。
【００１９】
なお、本実施形態の水洗大便器１においては、排水トラップ管路８の下降路８ｂの下端が床下の排出管（図示せず）に接続されている床排水形の大便器を一例として説明しているが、このような形態に限定されず、下降路８ｂの末端が水洗大便器の後壁側に配置されて床上の排出管と接続される床上排水形の大便器においても適用可能である。
【００２０】
導水路６は、給水装置１０から延びる給水管１２に接続される入口部６ａから前方に延び、便器の左側の前方側領域において前向きに開口する吐水口部２０と連通している。吐水口部２０は、洗浄水をボウル部４の前方側領域から前方に吐水し、ボウル部４の前端に向かう流れを形成し、さらにボウル部４の前端４ａから折り返して後方側に向かう流れを形成するようになっている。
【００２１】
給水装置１０から供給される洗浄水は、給水管１２から導水路６を経て、吐水口部２０からリム部１６と汚物受け面１４との間の面上且つリム部１６の内周壁面（内側壁）１６ａ上に便器前方方向に吐水されて旋回流が形成され、この旋回流がリム部１６の内周壁面１６ａから汚物受け面１４上を溜水部１８の方向に旋回しながら流下する下降流が形成されるようになっている。
【００２２】
つぎに、図１〜図５により、上述したリム部１６について詳細に説明する。
図３は図１のIII−III線に沿って見た断面図であり、図４は図１のIV−IV線に沿って見た断面図であり、図５は図１のV−V線に沿って見た断面図である。
【００２３】
リム部１６は、リム部１６の最内周面を形成し且つ汚物受け面１４の上端１４ａから便器本体２の頂部まで立ち上がるように立壁状に形成されている内周壁面１６ａと、リム部１６の最外周面を形成し且つ便器本体２の外面上を頂部まで立ち上がるように立壁状に形成されている外周壁面（外側壁）１６ｂと、リム部１６の上面を形成するリム上面部１６ｃと、リム上面部１６ｃと内周壁面１６ａとの間において、リム部１６の上部の内側（汚物受け面１４側）の縁を形成するリム上部内側コーナー部１６ｄと、リム上面部１６ｃと外周壁面１６ｂとの間において、リム部１６の上部の外側（便器本体２の外側）の縁を形成するリム上部外側コーナー部１６ｅとを備えている。
【００２４】
内周壁面１６ａは、リム部１６の内側の全周にわたって形成されている。内周壁面１６ａは、ほぼ垂直に立ち上がるように形成されていてもよく、或いは、下方から上方に上がるにつれて内側に向けて傾斜するように形成されていてもよい。すなわち、内周壁面１６ａは、リム部１６の全周又は一部において、その内壁の少なくとも一部が内側に向かってオーバーハングした形状に形成されることができる。
また、リム部１６は、内周壁面１６ａとリム上部内側コーナー部１６ｄとの組み合わさった形状で、リム部１６の全周又は一部において、内側に向かってオーバーハングした形状に形成されてもよい。特に、リム部１６は、ボウル部４の吐水口部２０から前方側において、内周壁面１６ａの上部及びリム上部内側コーナー部１６ｄがボウル部４の内側に向かってオーバーハングした形状に形成されている。
【００２５】
また、リム部１６は、内周壁面１６ａとリム上部内側コーナー部１６ｄとの組み合わさった形状で、ボウル部４の吐水口部２０から前方側において、上部が内側に向かってオーバーハングした形状に形成されている。ボウル部４の吐水口部２０から前方側の領域においては、洗浄水が吐水口部２０から吐水され水勢が高い状態で前方向きから後方向きへと向きを変更することから、一般的には水飛びが生じやすい領域となっているが、この領域においてリム部１６のオーバーハング形状により洗浄水が便器外に水飛びすることを防ぐことができる。
【００２６】
リム上面部１６ｃは、水平方向に延びる平坦面を形成し、且つ便器本体２の頂面を形成している。便器本体２のリム部１６を清掃しようとする場合に、使用者はこのリム上面部１６ｃに掌等を水平に沿うように配置した状態で、且つ指を曲げてリム上部内側コーナー部及び内周壁面１６ａを清掃することが必要になる。なお、リム上面部１６Ｃは水平面に限定されず、ボウル部４に向かった下り傾斜あるいは上り傾斜の面として形成しても良い。また、リム上面部１６ｃは、曲面により形成してもよい。さらに、リム上面部１６ｃをリム上部内側コーナー部１６ｄの外側端を外側まで延長した曲面の一部として形成してもよく、又はリム上面部１６ｃをリム上部外側コーナー部１６ｅの内側端を内側まで延長した曲面の一部として形成してもよい。例えば、リム上面部１６ｃをリム上部内側コーナー部１６ｄの一部として形成する場合には、リム上部内側コーナー部１６ｄの外側端とリム上部外側コーナー部１６ｅの内側端とを比較的滑らかに接続し、リム部１６の上面を形成することも可能である。
【００２７】
リム上部内側コーナー部１６ｄは、横向きのリム上面部１６ｃと縦向きの内周壁面１６ａとをなめらかに連結する湾曲部を形成している。リム上部内側コーナー部１６ｄは、外側に突出するアール形状を形成している。別の言い方によれば、リム上面部１６ｃと内周壁面１６ａとを接続する円弧形状を形成している。リム上部内側コーナー部１６ｄは、その表面上の接線の傾きが位置に応じて連続的に変化するような円弧形状に形成されている。従って、使用者が自身の手指をリム上部内側コーナー部１６ｄに沿わせるように配置する場合に、自身の手指とリム上部内側コーナー部１６ｄの面との間に空間を生じさせることを抑制し、手指を全体的に曲面に沿うように自然に配置することができる。なお、リム上部内側コーナー部１６ｄは、人の手指の曲り方に合わせるような他の形状の湾曲面により形成されていてもよい。
【００２８】
なお、上述の使用者が自身の手指をリム上部内側コーナー部１６ｄに沿わせるように配置する場合には、手指全体のみならず、掌、指のみを沿わせる場合も含む。さらに、使用者が手指をリム上部内側コーナー部１６ｄに沿わせる場合には、使用者が便器の清掃等の場合に清掃用の布、トイレットペーパー等の紙等を介して手指をリム上部内側コーナー部１６ｄに沿わせる場合を含んでいる。また、使用者が手指をリム上部内側コーナー部１６ｄに沿わせる場合には、使用者が手指に手袋等をはめた状態で、上記清掃用の布等を介して手指をリム上部内側コーナー部に沿わせる場合を含んでいる。
【００２９】
上面視で見た場合に、便器本体２の左右中央には、中央側に湾曲しながら下降する曲面を形成する汚物受け面１４が配置され、汚物受け面１４の外周側には、同様に内側に下降する曲面を形成するリム上部内側コーナー部１６ｄが配置されることになる。従って、上面視で見た場合に、汚物受け面１４と類似するような、内側に向かって緩やかに下降する曲面のリム上部内側コーナー部１６ｄが汚物受け面１４の外側の曲面を連続的に形成しているような印象を、使用者に与えることが可能となる。すなわち、使用者は、汚物受け面１４がリム上部内側コーナー部１６ｄにさらに外側にひとまわり拡がったような印象を受けることができる。例えば、男性の使用者が便器本体２の前に立った状態から小便の用を足すような場合に、汚物受け面１４が拡がっているような印象を使用者に与えることは、小便を汚物受け面１４から外してしまう不安感を抑制し、使用者に安心して小便を行えるという安心感を与えることが可能となる。さらに、例えば、使用者が便器本体２上の弁座（図示せず）に座った状態から用便をするような場合にも、弁座（図示せず）を便器本体２上に降ろす前に汚物受け面１４が拡がっているような印象を使用者に与えることは、用便を汚物受け面１４から外してしまう不安感を抑制し、使用者に安心して用便を行えるという安心感を与えることが可能となる。
【００３０】
図３に示すように、リム上部内側コーナー部１６ｄの下端１６ｆは吐水口部２０よりも上方に設けられている。より詳細には、リム上部内側コーナー部１６ｄの下端１６ｆは吐水口部２０の頂部２０ａよりも上方に設けられている。別の言い方によれば、内周壁面１６ａが吐水口部２０の頂部２０ａよりも高い高さまで形成されている。従って、吐水口部２０は、洗浄水をその近傍の下流側の内周壁面１６ａに接するように吐水するようになっている。
上述のようなリム上部内側コーナー部１６ｄは、比較的緩やかなアール形状に形成され、左右方向の幅が比較的大きく形成されている。リム上部内側コーナー部１６ｄの上端１６ｇと下端１６ｆとの間の左右方向の幅は、吐水口部２０の開口の左右の幅よりも大きく形成されている。リム上部内側コーナー部１６ｄの下端１６ｆは吐水口部２０よりも上方に設けられているので、リム上部内側コーナー部１６ｄの横方向の幅を比較的大きく形成することができ、リム上部内側コーナー部１６ｄを半径の大きな緩やかな円弧形状に沿って内側に下り傾斜するように形成することができる。
【００３１】
リム上部外側コーナー部１６ｅは、横向きのリム上面部１６ｃと縦向きの外周壁面１６ｂとをなめらかに連結する湾曲部を形成している。リム上部外側コーナー部１６ｅは、外側上方に向かって突出するアール形状を形成している。別の言い方によると、リム上面部１６ｃと外周壁面１６ｂとを接続する円弧形状を形成している。
【００３２】
リム上部外側コーナー部１６ｅは、縦断面で見た場合に、５ｍｍ〜８ｍｍの半径を有する円弧により形成されている。リム上部内側コーナー部１６ｄは、縦断面で見た場合に、１０ｍｍ〜２５ｍｍの半径を有する円弧により形成されている。よって、リム上部外側コーナー部１６ｅを形成する円弧の半径と、リム上部内側コーナー部１６ｄを形成する円弧の半径との比率が、１：２〜１：５の範囲の比率に形成されている。また、リム上部内側コーナー部１６ｄの横方向（便器本体の内側方向から外側方向に向かう方向）の幅は、リム上部外側コーナー部１６ｅの横方向（便器本体の内側方向から外側方向に向かう方向）の幅よりも大きく形成されている。リム上部内側コーナー部１６ｄは、１０ｍｍ〜２５ｍｍの半径を有する円弧により形成されているので、使用者が手指をリム上部内側コーナー部１６ｄに掛けた場合に、手指を上部内側コーナー部１６ｄに沿って自然に配置することができ、手指とリム部１６との間に空間を比較的大きな空間を生じることなく、握りやすい形状に形成されている。
【００３３】
なお、リム上部外側コーナー部１６ｅは、リム上面部１６ｃと外周壁面１６ｂとの間の面の丸みが連続的に変化していてもよい。すなわち、リム上部外側コーナー部１６ｅは、リム上面部１６ｃと外周壁面１６ｂとの間の面の曲率半径が連続的に変化していてもよい。リム上部外側コーナー部１６ｅの丸みが比較的小さいとは、リム上面部１６ｃと外周壁面１６ｂとの間をつなぐ曲面のうち最小の曲率半径が比較的小さい曲率半径、例えば５ｍｍ〜８ｍｍの曲率半径に形成されることをいう。
【００３４】
また、リム上部内側コーナー部１６ｄは、リム上面部１６ｃと内周壁面１６ａとの間が丸みを帯びるように連続的に変化する曲面により形成されていてもよい。すなわち、リム上部内側コーナー部１６ｄは、リム上面部１６ｃと内周壁面１６ａとの間の面の曲率半径が連続的に変化していてもよい。リム上部内側コーナー部１６ｄの丸みが比較的大きいとは、リム上面部１６ｃと内周壁面１６ａとの間をつなぐ曲面のうち最小の曲率半径が比較的大きい曲率半径、例えば１０ｍｍ〜２５ｍｍの曲率半径に形成されることをいう。
従って、リム上部内側コーナー部１６ｄの丸みが、リム上部外側コーナー部１６ｅの丸みよりも大きく形成され、リム上部内側コーナー部１６ｄの曲面のうち最小の曲率半径が、リム上部外側コーナー部１６ｅの曲面のうち最小の曲率半径よりも大きく形成されている。
リム上部内側コーナー部１６ｄは、リム上面部１６ｃと内周壁面１６ａとの間の面の一部に比較的平坦な面を含みながら、全体的に丸みを帯びるように曲げられている面形状に形成されていてもよい。
【００３５】
また、上述のように、内周壁面１６ａ及びリム上部内側コーナー部１６ｄが少なくとも一部において、内側に向かってオーバーハングした形状に形成されているので、施工者、製造者等が手指を、リム部１６のオーバーハング形状の内側にかけながら持ち上げるようにリム部１６を掴みやすくなっている。従って、施工者、製造者等が便器の運搬をする際に、手指をオーバーハング形状に形成されたリム部１６にかけることにより、手指の先をリム上部内側コーナー部１６ｄの下方側に引っかけたような状態で、上方に引上げる荷重をリム部１６に作用させやすくなり、便器の運搬を良好にすることができる。
【００３６】
つぎに、図６及び図７により、上述した使用者がリム部１６を清掃しようとする状態について詳細に説明する。
図６は本発明の一実施形態による水洗大便器のリム上部内側コーナー部に沿うように使用者の手指がかけられた状態を示す図であり、図７は従来の水洗大便器のリム上部内側コーナー部に使用者の手指がかけられた状態を示す図である。使用者の手指にＨの参照符号を付して説明する。
【００３７】
本発明の実施形態において、使用者がリム部１６を清掃しようとする状態においては、使用者は、使用者の手指Ｈの掌Ｈａ及び/又は指の掌側の部分Ｈｂをリム上面部１６ｃに接するように配置しながら清掃し、指先Ｈｄ側において内周壁面１６ａ側を清掃する。ここで、リム上面部１６ｃは概ね水平の平面を形成し、内周壁面１６ａは概ね鉛直方向の壁面を形成していることから、使用者は、指の関節を曲げて内周壁面１６ａ側を清掃する。このとき、リム上部内側コーナー部１６ｄが比較的大きな半径の円弧を形成しているので、指の曲り部分（例えばＨｃ、Ｈｄ）を緩やかにでき且つリム上部内側コーナー部１６ｄの円弧に指の曲り部分（例えばＨｃ）に沿わせて配置することができる。従って、使用者は、例えば、使用者の手指Ｈの指の付け根側の掌側の部分Ｈｂとリム上面部１６ｃとを接した状態とし、指の第２関節部分Ｈｃとリム上部内側コーナー部１６ｄとを接した状態とし、指の指先部分Ｈｄと内周壁面１６ａとを接した状態とし、同時にリム上面部１６ｃとリム上部内側コーナー部１６ｄと内周壁面１６ａとを効率よく清掃することができる。さらに、使用者が手指Ｈを無理に曲げることなくリム上面部１６ｃとリム上部内側コーナー部１６ｄと内周壁面１６ａと接した状態とすることができるので、使用者が容易に清掃のために必要とする力を手指Ｈにかけることができる。従って、リム上面部１６ｃ、リム上部内側コーナー部１６ｄ及び内周壁面１６ａの清掃性も向上されることとなる。
また、使用者がリム上面部１６ｃ側からリム上部内側コーナー部１６ｄを越えて内周壁面１６ａを清掃しようとする場合に、リム上部内側コーナー部１６ｄに清掃力を十分に作用させることができずに、リム上部内側コーナー部１６ｄの清掃に不具合が生じ、さらなる清掃の手間が生じることを抑制することができる。
【００３８】
これに対し、従来の水洗大便器１０１においては、使用者がリム部１１６を清掃しようとする状態においては、使用者が、使用者の手指Ｈの掌Ｈａ及び/又は指の掌側の部分Ｈｂをリム上面部１１６ｃに接するように配置しながら清掃するとき、リム上部内側コーナー部１１６ｄが比較的小さな半径の円弧（リム上部外側コーナー部１１６ｅとほぼ同様の半径の円弧）を形成しているので、リム上部内側コーナー部１１６ｄの円弧に指の第２関節部分Ｈｃ等の指の曲り部分を沿わせて配置することができない状態となっている。すなわち、使用者の手指Ｈの指の第２関節部分Ｈｃは、リム上部内側コーナー部１１６ｄから離間した状態となり、指の指先部分Ｈｄは内周壁面１１６ａから離間した状態となる。
この状態から、指の指先部分Ｈｄを内周壁面１１６ａと接した状態とするためには、掌Ｈａ及び指の掌側の部分Ｈｂをやや持ち上げるようにして、リム上面部１１６ｃから離間させることが必要となる。
また、従来の水洗大便器１０１においては、人間の手指の関節の可動範囲が限られることから、仮に無理に手指を曲げて、使用者の手指Ｈの指の付け根側部分Ｈｂとリム上面部１１６ｃとを接した状態とし、指の第２関節部分Ｈｃとリム上部内側コーナー部１１６ｄの上部の一部を接した状態とするとしても、指の第２関節部分Ｈｃとリム上部内側コーナー部１１６ｄの下部との接触ができないのみならず、指の指先部分Ｈｄと内周壁面１１６ａとも接した状態とすることができない。従って、リム上部内側コーナー部１１６ｄ及び内周壁面１１６ａの清掃に不具合が生じ、さらなる清掃の手間が生じる。
また、従来の水洗大便器１０１においては、人間の手指の関節の可動範囲が限られることから、仮に無理に手指を曲げて、使用者の手指Ｈの指の付け根側部分Ｈｂとリム上面部１１６ｃとを接した状態とし、指の指先部分Ｈｄと内周壁面１１６ａとを接した状態とするとしても、同時に指の第２関節部分Ｈｃとリム上部内側コーナー部１１６ｄとを接した状態とすることができない。従って、リム上部内側コーナー部１１６ｄの清掃に不具合が生じ、さらなる清掃の手間が生じる。
さらに、使用者が手指Ｈを無理に曲げないと、リム上面部１１６ｃと一部の他の曲面を同時に接した状態とすることができないため、使用者が清掃のために必要とする力を手指Ｈにかけることが困難となる。従って、リム上面部１１６ｃ、リム上部内側コーナー部１１６ｄ及び内周壁面１１６ａの清掃性に問題が生じることとなる。
【００３９】
上述した本発明の実施形態による水洗大便器によれば、リム部16の全周の少なくとも１部において、リム上部内側コーナー部１６ｄの丸みが、リム上部外側コーナー部１６ｅの丸みよりも大きく形成されている。よって、使用者が、リム部１６の拭き掃除を行う場合に、自身の手指がリム部１６の上面からリム上部内側コーナー部１６ｄの丸みに沿うように内周壁面１６ａまでかかっている状態で、リム部１６のリム上面部１６ｃ、リム上部内側コーナー部１６ｄ及び内周壁面１６ａを効率よく清掃することができる。さらに、リム部１６のリム上面部１６ｃからリム上部内側コーナー部１６ｄ及び内周壁面１６ａに比較的均等に力をかけながら拭き掃除をすることができるため、使用者が、拭き掃除をしようとする比較的強い力を容易にリム部全体にかけることができ、清掃性を向上させることができる。
また、リム上部内側コーナー部１６ｄの丸みが、リム上部外側コーナー部１６ｅの丸みよりも大きくされる。よって汚物受け面１４の上方外側に形成されたリム上部内側コーナー部１６ｄが、汚物受け面１４がさらに外側に拡がっているような印象を使用者に与えることができ、ボウル部４を従来よりも比較的大きく見せることができ使用者に使用時に尿をボウル部４内へ排出しやすいという安心感を与えることができる。
【００４０】
また、上述した本発明の実施形態による水洗大便器によれば、吐水口部２０から吐水された洗浄水は、リム上部内側コーナー部１６ｄの下端１６ｆよりも下方の領域に沿って旋回されるので、洗浄水がリム上部内側コーナー部１６ｄを越えて便器外に水飛びすることを防止することができる。また、洗浄水がリム上部内側コーナー部１６ｄの下端１６ｆよりも下方の領域に沿って旋回されるので、リム上部内側コーナー部１６ｄの幅を比較的大きくすることができる。ただし、本発明はこのような実施形態に限定されるものではなく、例えば、吐水口部２０から吐水される洗浄水が到達すると想定される最大高さよりもリム上部内側コーナー部の下端の位置が高ければ、同様の効果を得ることができる。例えば、吐水口部２０から吐水される洗浄水が吐水口部２０の中心の高さにまでしか高さが到達しない場合、リム上部内側コーナー部１６ｄの下端１６ｆを吐水口部２０の中心の高さよりも高い位置になるよう設ければよい。
【００４１】
また、上述した本発明の実施形態による水洗大便器によれば、リム上部内側コーナー部１６ｄを形成する円弧の半径が、使用者の手指の曲りによって握りやすい半径に形成されている。よって、使用者が、リム部１６の拭き掃除を行う場合に、自身の手指をリム上部内側コーナー部１６ｄを形成する円弧形状に沿うようにかけやすくなっている。
【００４２】
また、上述した本発明の実施形態による水洗大便器によれば、施工者、製造者等が施工時、製造時等に便器の運搬をする際に、手指をオーバーハングした形状に形成されたリム部１６にかけることにより、手指を引っかけた状態で、便器の運搬を良好にすることができる。
【００４３】
また、上述した本発明の実施形態による水洗大便器によれば、吐水口部２０が、ボウル部４の前端から後方に向かって流れる旋回流を形成することができ、節水をしながらボウル部４を十分に洗浄することができる。
【００４４】
また、上述した本発明の実施形態による水洗大便器によれば、吐水口部２０から吐水された洗浄水がリム部１６を越えて便器外に水飛びを生じやすいボウル部４の吐水口部２０から前方側の領域において、リム部１６の上部が内側に向かってオーバーハングした形状に形成されているので、洗浄水が便器外に水飛びすることを防ぐことができる。
【００４５】
また、上述した本発明の実施形態による水洗大便器によれば、水道直圧式の給水装置１０により供給される洗浄水は、吐水時の水勢の強さが比較的抑制される。従って、吐水口部２０から吐水された洗浄水がボウル部４からリム部１６を越えて水飛びしにくくなり、リム上部内側コーナー部１６ｄの幅を大きく形成することができる。
【符号の説明】
【００４６】
１        水洗大便器
２        便器本体
４        ボウル部
４ａ      前端
６        導水路
６ａ      入口部
８        排水トラップ管路
８ａ      入口
８ｂ      下降路
１０      給水装置
１２      給水管
１４      汚物受け面
１４ａ    上端
１６      リム部
１６ａ    内周壁面
１６ｂ    外周壁面
１６ｃ    リム上面部
１６ｄ    リム上部内側コーナー部
１６ｅ    リム上部外側コーナー部
１６ｆ    下端
１６ｇ    上端
１８      溜水部
２０      吐水口部
２０ａ    頂部
１０１    水洗大便器
１１６    リム部
１１６ａ  内周壁面
１１６ｃ  リム上面部
１１６ｄ  リム上部内側コーナー部
１１６ｅ  リム上部外側コーナー部
Ｈ        手指
Ｈａ      掌
Ｈｂ      指の掌側の部分
Ｈｃ      指の第２関節部分
Ｈｄ      指の指先部分
Ｗ0       溜水面
【図１】
2020051249.tif 000003
【図２】
2020051249.tif 000004
【図３】
2020051249.tif 000005
【図４】
2020051249.tif 000006
【図５】
2020051249.tif 000007
【図６】
2020051249.tif 000008
【図７】
2020051249.tif 000009
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
洗浄水源から供給される洗浄水により便器を洗浄して汚物を排出する水洗大便器であって、
ボウル形状の汚物受け面と、この汚物受け面の上方外側に形成されて便器の上部縁を形成するリム部と、を備えたボウル部と、
このボウル部の下方にその入口が接続され汚物を排出する排水路と、
上記ボウル部に洗浄水を吐水して旋回流を形成する吐水部と、
上記吐水部に洗浄水を供給する導水路と、を有し、
上記リム部は、
上記汚物受け面の上端から上方に向けて直線状に延びる内側壁と、
上記内側壁の上端から外側に形成されると共に上記リム部の上面と上記内側壁との間に形成されるリム上部内側コーナー部と、
上記リム部の上面と外側壁との間に形成されるリム上部外側コーナー部と、を備え、
上記内側壁の上記上端が上記リム上部内側コーナー部の外側端よりも内側に位置し、
上記リム部の全周の少なくとも一部において、上記リム上部内側コーナー部の丸みが、上記リム上部外側コーナー部の丸みよりも大きく形成され、
上記リム上部内側コーナー部の下端は上記吐水部よりも上方に設けられ、
上記リム上部内側コーナー部の上端と上記下端との間の横方向の幅は、上記吐水部の横方向の幅よりも大きいことを特徴とする水洗大便器。
【請求項２】
上記リム上部内側コーナー部の上記上端と上記下端との間の横方向の幅は、上記リム上部外側コーナー部の上端と下端との間の横方向の幅よりも大きい、請求項１記載の水洗大便器。
【請求項３】
上記リム上部外側コーナー部を形成する円弧の半径と、上記リム上部内側コーナー部を形成する円弧の半径との比率が、１：２〜１：５の範囲の比率に形成されている、請求項１又は２に記載の水洗大便器。
【請求項４】
上記リム部は、その内壁の少なくとも一部が内側に向かってオーバーハングした形状に形成されている、請求項１乃至３の何れか１項に記載の水洗大便器。
【請求項５】
上記吐水部は、上記ボウル部の前方側領域から前方に向かって吐水するように形成され、上記ボウル部の前端から後方に向かって流れる旋回流を形成する、請求項１乃至４の何れか１項に記載の水洗大便器。
【請求項６】
上記リム部は、上記ボウル部の上記吐水部から前方側において、上部が内側に向かってオーバーハングした形状に形成されている、請求項１乃至５の何れか１項に記載の水洗大便器。
【請求項７】
上記水洗大便器は、洗浄水源から水道の給水圧を直接利用した水道直圧式の給水装置により供給される洗浄水により便器を洗浄して汚物を排出する水洗大便器である、請求項１乃至６の何れか１項に記載の水洗大便器。
【手続補正２】
【補正対象書類名】明細書
【補正対象項目名】０００６
【補正方法】変更
【補正の内容】
【０００６】
上記の目的を達成するために、本発明は、洗浄水源から供給される洗浄水により便器を洗浄して汚物を排出する水洗大便器であって、ボウル形状の汚物受け面と、この汚物受け面の上方外側に形成されて便器の上部縁を形成するリム部と、を備えたボウル部と、このボウル部の下方にその入口が接続され汚物を排出する排水路と、ボウル部に洗浄水を吐水して旋回流を形成する吐水部と、吐水部に洗浄水を供給する導水路と、を有し、リム部は、汚物受け面の上端から上方に向けて直線状に延びる内側壁と、内側壁の上端から外側に形成されると共にリム部の上面と内側壁との間に形成されるリム上部内側コーナー部と、上記リム部の上面と外側壁との間に形成されるリム上部外側コーナー部と、を備え、内側壁の上端がリム上部内側コーナー部の外側端よりも内側に位置し、リム部の全周の少なくとも一部において、リム上部内側コーナー部の丸みが、リム上部外側コーナー部の丸みよりも大きく形成され、リム上部内側コーナー部の下端は吐水部よりも上方に設けられ、リム上部内側コーナー部の上端と下端との間の横方向の幅は、吐水部の横方向の幅よりも大きいことを特徴としている。
このように構成された本発明においては、リム部の全周の少なくとも一部において、リム上部内側コーナー部の丸みが、リム上部外側コーナー部の丸みよりも大きく形成されている。よって、使用者が、リム部の拭き掃除を行う場合に、自身の手指がリム部の上面からリム上部内側コーナー部の丸みに沿うように内側壁までかかっている状態で、リム部の上面、リム上部内側コーナー部及び内側壁を効率よく清掃することができる。さらに、リム部の上面からリム上部内側コーナー部及び内側壁に比較的均等に力をかけながら拭き掃除をすることができるため、使用者が、拭き掃除をしようとする比較的強い力を容易にリム部全体にかけることができ、清掃性を向上させることができる。
さらに、このように構成された本発明においては、吐水部から吐水された洗浄水は、リム上部内側コーナー部の下端よりも下方の領域に沿って旋回されるので、洗浄水がリム上部内側コーナー部を越えて便器外に水飛びすることを防止することができる。また、このように洗浄水がリム上部内側コーナー部の下端よりも下方の領域に沿って旋回されるので、リム上部内側コーナー部の幅を比較的大きく形成することができる。
また、本発明において、好ましくは、上記リム上部内側コーナー部の上記上端と上記下端との間の横方向の幅は、上記リム上部外側コーナー部の上端と下端との間の横方向の幅よりも大きい。
【手続補正３】
【補正対象書類名】明細書
【補正対象項目名】０００７
【補正方法】削除
【補正の内容】